(57)【特許請求の範囲】
【請求項１】
上蓋付きの段ボール箱の中に、複数の吸水土のうと、第１樹脂製袋と、第２樹脂製袋とを収納した吸水土のう梱包体を特定の場所に運ぶ工程と、
前記段ボール箱の上蓋を開いて、少なくとも前記吸水土のうおよび前記第２樹脂製袋を取り出す工程と、
前記段ボール箱の中に収納された前記第１樹脂製袋で前記段ボール箱の全内面を覆い、前記第２樹脂製袋で前記段ボール箱の全外面を覆い、前記第１樹脂製袋と前記第２樹脂製袋とを固定することで吸水容器を形成する工程と、
前記吸水容器内に水を溜める工程と、
前記吸水容器に溜めた水の中に前記吸水土のうを浸水させて、前記吸水土のうを膨らませる工程と、
膨らませた前記吸水土のうを設置場所に設置する工程とを備える、水防工法。
【請求項２】
前記段ボール箱は、前記上蓋を立てた状態で固定されている、請求項１に記載の水防工法。
【請求項３】
前記第１樹脂製袋の上部開口縁を折り返して、前記段ボール箱の内面側に固定し、
前記第２樹脂製袋の上部開口縁を折り返して、前記段ボール箱の外面側に固定する、請求項１または２に記載の水防工法。
【請求項４】
前記吸水容器に水を溜めて水のうとして使用する工程を備える、請求項１〜３のいずれかに記載の水防工法。
【発明の詳細な説明】
【技術分野】
【０００１】
この発明は、水防工法、吸水容器および水のう用容器に関する。
【背景技術】
【０００２】
一般的に、たとえば水害の際の応急対策や土木工事などの止水対策に、吸水土のうおよび水のうが用いられることが知られている。
【０００３】
吸水土のうが開示されている文献として、たとえば特開２０１５−８３７５７号公報（特許文献１）および特開２００９−２９３２６０号公報（特許文献２）が挙げられる。特許文献１，２には、袋体内部に吸水性樹脂が収容されており、袋体を水に浸水させることで、吸水性樹脂が水を吸収し袋体が膨らむことが開示されている。
【０００４】
水のうが開示されている文献として、たとえば登録実用新案第３１２９１９２号公報（特許文献３）および特許第６４３６４１０号公報（特許文献４）が挙げられる。特許文献３，４には、上方が開放した箱体の内部に水を溜めて水のうとして使用することが開示されている。特に、特許文献３には、段ボール箱の内面に軟質合成樹脂からなる水袋を入れ、水袋の中に水を入れることが開示されている。
【先行技術文献】
【特許文献】
【０００５】
【特許文献１】特開２０１５−８３７５７号公報
【特許文献１】特開２００９−２９３２６０号公報
【特許文献１】登録実用新案第３１２９１９２号公報
【特許文献１】特許第６４３６４１０号公報
【発明の概要】
【発明が解決しようとする課題】
【０００６】
特許文献１，２の吸水土のうを使用するには、水に浸水させて膨らませる必要があるため、吸水土のうより大きく、水を溜めることが可能な吸水容器が必要である。しかし、たとえば家庭や店舗などでは、通常そのような大きな容器を常備していない。そのため、浴槽やシンクなどに水を溜めて、浴室やキッチンなどで吸水土のうを水に浸水させて膨らませることがあり、浴室やキッチンなどから吸水土のうの設置場所までは距離があり、設置効率が悪い。
【０００７】
また、特許文献３，４の水のうは、排水のためのキャップや水のう箱同士を連結するための連結具などが設けられており、構造が複雑である。
【０００８】
本発明は、上記のような課題を解決するためになされたものであって、その目的は、シンプルな構造であり、吸水土のうの設置効率を向上することが可能な水防工法、吸水容器および水のう用容器を提供することである。
【課題を解決するための手段】
【０００９】
この目的のため、本発明の一態様に係る水防工法は、上蓋付きの段ボール箱の中に、複数の吸水土のうと、第１樹脂製袋と、第２樹脂製袋とを収納した吸水土のう梱包体を特定の場所に運ぶ工程と、段ボール箱の上蓋を開いて、少なくとも吸水土のうおよび第２樹脂製袋を取り出す工程と、段ボール箱の中に収納された第１樹脂製袋で段ボール箱の全内面を覆い、第２樹脂製袋で段ボール箱の全外面を覆い、第１樹脂製袋と第２樹脂製袋とを固定することで吸水容器を形成する工程と、吸水容器内に水を溜める工程と、吸水容器に溜めた水の中に吸水土のうを浸水させて、吸水土のうを膨らませる工程と、膨らませた吸水土のうを設置場所に設置する工程とを備える。
【００１０】
好ましくは、段ボール箱は、上蓋を立てた状態で固定されている。
【００１１】
好ましくは、第１樹脂製袋の上部開口縁を折り返して、段ボール箱の内面側に固定し、第２樹脂製袋の上部開口縁を折り返して、段ボール箱の外面側に固定する。
【００１２】
好ましくは、吸水容器に水を溜めて水のうとして使用する工程を備える。
【００１３】
本発明の一態様に係る吸水容器は、水を溜めることが可能であり、吸水土のうを浸水させて膨らませるために用いられ、底板と、底板の外周縁から上方に立ち上がる複数の側板とを含み、上方が開口した段ボール箱と、段ボール箱の内面を覆う第１樹脂製袋と、段ボール箱の外面を覆う第２樹脂製袋とを備える。
【００１４】
好ましくは、側板は、上方に立ち上がった状態で固定される上蓋を含み、第１樹脂製袋は、その上部開口縁が折り返されて、段ボール箱の内面側に固定され、第２樹脂製袋は、その上部開口縁が折り返されて、段ボール箱の外面側に固定される。
【００１５】
本発明の一態様に係る水のう用容器は、水を溜めることが可能であって、底板と、底板の外周縁から上方に立ち上がる複数の側板とを含み、上方が開口した段ボール箱と、段ボール箱の内面を覆う第１樹脂製袋と、段ボール箱の外面を覆う第２樹脂製袋とを備えている。
【発明の効果】
【００１６】
本発明によれば、シンプルな構造であり、吸水土のうの設置効率を向上することが可能な水防工法、吸水容器および水のう用容器を提供することができる。
【図面の簡単な説明】
【００１７】
【図１】本発明の実施の形態の吸水容器を示し、（Ａ）は斜視図であり、（Ｂ）は図１（Ａ）のＩｂ−Ｉｂ線に沿う断面図である。
【図２】本発明の実施の形態の吸水容器に水を溜めた状態を示し、（Ａ）は斜視図であり、（Ｂ）は図１（Ａ）のＩＩｂ−ＩＩｂ線に沿う断面図である。
【図３】本発明の実施の形態の吸水容器に用いられる吸水土のうの一例を示し、（Ａ）は斜視図であり、（Ｂ）は図１（Ａ）のＩＩＩｂ−ＩＩＩｂ線に沿う断面図である。
【図４】図３に示す吸水土のうを膨らませた状態を示し、（Ａ）は斜視図であり、（Ｂ）は図３（Ｂ）に対応する断面図である。
【図５】本発明の実施の形態における水防工法を示す模式図である。
【発明を実施するための形態】
【００１８】
本発明の実施の形態について図面を参照しながら詳細に説明する。なお、図中同一または相当部分には同一符号を付してその説明は繰り返さない。
【００１９】
＜吸水容器について＞
図１，図２を参照しながら、本実施の形態に係る吸水容器の一例を説明する。図１（Ａ）において、矢印Ａ１で示す高さは上下方向であり、矢印Ａ２で示す横幅は左右方向であり、矢印Ａ３で示す方向は奥行き方向という。なお、図１，２，５において、理解容易の為、段ボール箱２、第１樹脂製袋３および第２樹脂製袋４との間に隙間を設けているが、実際は当接していたり、密着していたりするものとする。
【００２０】
図１に示すように、本実施の形態に係る吸水容器１は、水を溜めることが可能であり、後述する吸水土のう５（図３，４）を浸水させて膨らませるために用いられる。吸水土のう５については、後述する。
【００２１】
吸水容器１は、段ボール箱２に第１樹脂製袋３および第２樹脂製袋４が被せられている。本実施の形態に用いられる段ボール箱２は、段ボール板に切込みと折り曲げ部を設けた一般的な形状であり、展開状態において、上下に複数のフラップが設けられ、組立状態において、フラップを折り曲げることにより直方体形状になる。段ボール板は、たとえば紙製、プラスチック製など材質は限定されないが、典型的には紙製である。段ボール板は、多層構造であり、波状に加工した板材を表材および裏材で挟んで接着されている。
【００２２】
具体的には、段ボール箱２は、上方が開口しており、底板２１と、底板２１の外周縁から上方に立ち上がる複数の側板２２とを含む。図示は省略するが、底板２１は、内側に向かって折り曲げられた一対の内側フラップと、一対の内側フラップの外側に折り曲げられた一対の外側フラップとを含む。つまり、底板２１は、内側フラップと外側フラップが重なり合い、一対の外側フラップの当接部に沿って接着テープで接着することで形成される。一対の外側フラップと一対の内側フラップが重なり合うことで底板２１が形成されているため、底板２１の強度を保つことができる。なお、底板２１は、外側フラップと内側フラップから形成されず、単なる一枚板で形成されていてもよい。
【００２３】
図１（Ａ），図１（Ｂ）に示すように、側板２２は、側板本体２３と、側板本体２３から上方に連続する上蓋２４とを含む。上蓋２４は、各側板２２にそれぞれ設けられるフラップである。そのため、上蓋２４の側端縁が当接する部分を接着テープなどで接着することで、上蓋２４を上方に立ち上げた状態で固定することができる。なお、上蓋２４は、側板本体２３と連続せず、取り外し可能に設けられていてもよい。
【００２４】
図１（Ａ）に示すように、段ボール箱２は、直方体形状である。たとえば、段ボール箱２の上下寸法Ａ１は、１５０ｍｍ以上６００ｍｍ以下である。段ボール箱２の横幅寸法Ａ２は、２５０ｍｍ以上７５０ｍｍ以下である。段ボール箱２の奥行き寸法Ａ３は、１５０ｍｍ以上５００ｍｍ以下である。これにより、すべての寸法が、後述する膨らんだ状態の吸水土のう５の外形よりも大きいため、吸水土のう５を浸水させるための容器として適当である。さらに、水を溜めると段ボール箱２にはモーメントがかかるが、上記の大きさであれば、紙製の段ボールであってもそのモーメントに耐えることができる。好ましい段ボール箱２の外形は、高さ寸法Ａ１が５００ｍｍ、横幅寸法Ａ２が３００ｍｍ、奥行き寸法Ａ３が５００ｍｍである。なお、典型的な段ボール箱２の外形は、高さ寸法Ａ１が３８０ｍｍ、横幅寸法Ａ２が４４０ｍｍ、奥行き寸法Ａ３が３６０ｍｍである。この段ボール箱２を用いることで、典型的なサイズの吸水土のう５を２個同時に浸水させて膨らませることができる。
【００２５】
第１樹脂製袋３は、段ボール箱２の内面２１ａ，２２ａを覆う。側板２２の内面２２ａは、段ボール箱２の側板２２が向かい合う面をいい、外面２２ｂは、その反対方向を向いた面をいう。また、底板２１の内面２１ａは側板２２の内面２２ａと連続する面であり、底板２１の外面２１ｂは側板２２の外面２２ｂと連続する面である。第１樹脂製袋３の材質は、たとえば合成樹脂であり、典型的にはポリエチレンである。第１樹脂製袋３は、段ボール箱２に被せることができる大きさであり、上下寸法が８００ｍｍ以上１２００ｍｍ以下であり、横幅寸法が６５０ｍｍ以上１３００ｍｍ以下であり、４０Ｌ以上１６０Ｌ以下であることが好ましい。なお、典型的な第１樹脂製袋３の外形は、上下寸法が１０００ｍｍ、横幅寸法が８００ｍｍ、９０Ｌである。第１樹脂製袋３は、段ボール箱２の底板２１の形状に沿ったマチが設けられることが好ましいが、マチなしであってもよい。
【００２６】
図１（Ｂ）に示すように、第１樹脂製袋３は、第１樹脂製袋本体３０と、第１樹脂製袋本体３０に連続する上部開口縁３１とを含む。上部開口縁３１は、段ボール箱２の上端縁で外方に折り返されて、段ボール箱２の外面側に固定される。具体的には、第１樹脂製袋３は、段ボール箱２の底板２１の内面２１ａを覆い、側板２２の内面２２ａの下部を覆う。後述のように、段ボール箱２の全外面２１ｂ，２２ｂおよび側板２２の内面２２ａの上部は、第２樹脂製袋４に覆われている。そのため、第１樹脂製袋３の上部開口縁３１は、段ボール箱２の側板２２の外面２２ｂに直接当接せず、第２樹脂製袋４上に重なり合う。図示は省略するが、第１樹脂製袋３の上部開口縁３１は、各面において、接着テープなどで部分的に第２樹脂製袋４と接着されてもよいし、上部開口縁３１の全周囲に亘って第２樹脂製袋４と接着されていてもよい。
【００２７】
第２樹脂製袋４は、段ボール箱２の外面を覆う。第２樹脂製袋４は、第１樹脂製袋３と同じ材質である。第２樹脂製袋４は、第１樹脂製袋３と同一形状であってもよいし、第２樹脂製袋４よりも大きくてもよい。
【００２８】
図１（Ｂ）に示すように、第２樹脂製袋４は、第２樹脂製袋本体４０と、第２樹脂製袋本体４０に連続する上部開口縁４１とを含む。上部開口縁４１は、段ボール箱２の上端縁で内方に折り返されて、段ボール箱２の内面側に固定される。具体的には、第２樹脂製袋４は、段ボール箱２の底板２１の外面２１ｂを覆い、側板２２の外面２２ｂを覆う。さらに、第２樹脂製袋４の上部開口縁４１は、段ボール箱２の側板２２の内面２２ａに当接する。第２樹脂製袋４は、各面において、接着テープなどで部分的に第２樹脂製袋４と接着されてもよいし、上部開口縁３１の全周囲に亘って第２樹脂製袋４と接着されていてもよい。
【００２９】
図２（Ａ）および図２（Ｂ）に示すように、吸水容器１は、段ボール箱２の全内面と全外面が第１，２樹脂袋３，４で覆われるため、段ボール箱２内に水を溜めることが可能となる。さらに、吸水容器１の外側に水が掛かったとしても、段ボール箱２に水が浸み込まないため、耐久性を保つことができる。また、吸水容器１に水を溜めて、設置場所に設置することで「水のう」として使用することも可能となる。この場合、吸水容器１は「水のう用容器」  として機能する。水のう用容器の水位を１５ｃｍ以上、好ましくは２０ｃｍ以上にすることで、水害対策に有効に用いることができる。吸水容器１に溜める水は、たとえば清水、雨水、お風呂の残り水などである。
【００３０】
また、本実施の形態では、段ボール箱２の全内面を覆う第１樹脂製袋３の上部開口縁３１が、段ボール箱２の全外面２１ｂ，２２ｂを覆う第２樹脂製袋４上に位置しており、段ボール箱２１ａ，２２ａの内面には隙間がないため、吸水容器１に水を溜めたとしても、水が段ボール箱２に染み出ることがない。さらに、第１樹脂製袋３と第２樹脂製袋４の固定が部分的であっても、問題はない。
【００３１】
なお、上記実施の形態では、段ボール箱２の内面に位置する第１樹脂製袋３の上部開口縁３１と第２樹脂製袋４の上部開口縁４１の位置が上下逆であってもよい。つまり、第１樹脂製袋３の上部開口縁３１が第２樹脂製袋４の内側に位置し、第２樹脂製袋４の上部開口縁４１が第１樹脂製袋３の外側に位置していてもよい。
【００３２】
以上説明したように、吸水容器１は、吸水容器１内に水を溜めることで、吸水土のう５を膨らませるために用いられる。次に、吸水土のう５の一例について説明する。
【００３３】
＜吸水土のうについて＞
図３，図４を参照しながら、本実施の形態に係る吸水容器の一例を説明する。図１において、矢印Ｂ１で示す高さ方向は上下方向であり、矢印Ｂ２で示す横幅方向は左右方向であり、図２（ｂ）において矢印Ｂ３で示す方向は奥行き方向という。
【００３４】
図３に示すように、本実施の形態に係る吸水土のう５は、袋体６と、袋体６の外面に取り付けられる取っ手７とを備える。袋体６の内部には、吸水性樹脂８が内包されている。このため、吸水土のう５は、未使用状態（水に浸ける前）では図３（Ｂ）に示すように扁平であるが、使用状態（水に浸水させた後）では、図４（Ａ）および図４（Ｂ）に示すように直方形形状となる。
【００３５】
袋体６は、透水性を有し、たとえば、不織布、織布などが用いられる。袋体６は、親水性処理が施された不織布で形成されていることが好ましい。これにより、袋体６の内部に内包された吸水性樹脂８に水分が接触しやすくなるとともに、吸水性樹脂８が袋体６の外部に漏れることを防止することができる。
【００３６】
袋体６は、直方体形状である。具体的には、袋体６は、底面部６０と、底面部６０の長辺側から立ち上がる４つの側面部６１と、底面部６０と対向する上面部６２とを含む。また、直方体形状とは、隣り合う面がすべて正確に直角に交わる形状だけではなく、隣り合う面が自立可能な程度に傾いていたり、円弧状に膨らんでいる形状も含む。
【００３７】
図１に示すように、袋体６は、正面視において横長の形状である。たとえば、袋体６の高さＢ１は、１５０ｍｍ以上３００ｍｍ以下である。袋体６の横幅Ｂ２は、３００ｍｍ以上５００ｍｍ以下である。袋体６の奥行きＢ３は、１５０ｍｍ以上３００ｍｍ以下である。具体的には、本実施の形態の袋体６の外形は、高さＢ１が２００ｍｍ、横幅Ｂ２が３５０ｍｍ、奥行きＢ３が２５０ｍｍであるが、横幅寸法が高さ寸法よりも大きければよく、この寸法に限定されない。
【００３８】
上述のように、袋体６は、吸水性樹脂８を内包している。吸水性樹脂８は、自重の数倍から数百倍の水分を吸収して膨張するものである。水分は、清水であることが好ましいが、たとえばお風呂の残り湯など使用済の水も含む。本実施の形態の吸水性樹脂８は、たとえばアクリル酸ナトリウムを主原料とする吸水性ポリマーである。吸水性樹脂８は、たとえば粒状であり、粒状のまま袋体６内に収容されている。吸水性樹脂８は、水を吸収することで、１００倍以上２００倍以下の範囲で膨らむ。そのため、吸水土のう５を水に浸水させると、図４に示すように、袋体６内を、水分を吸収した吸水性ポリマー８で満たすことができる。このように、十分に吸水が完了した吸水性ポリマー８で袋体６内を満たすことで、袋体６を直方体形状に保つことができる。
【００３９】
袋体６の外面には、取っ手７が設けられる。取っ手７は、たとえば１本の帯状部材から形成されてもよいし、複数の帯状部材を縫い合わされることにより形成されてもよい。また、取っ手７は、たとえば袋体６と同じ素材の不織布を帯状にし、複数折り重ねることにより形成されてもよい。
【００４０】
取っ手７は、環状部材で形成されており、折り返された部分が正面視逆Ｕ字形状の第１，２取っ手部７１，７２になっている。第１取っ手部７１は、図４の紙面上の前面に現れる側面部６１から延びている。また、第２取っ手部７２は、図４の紙面上には表れていないの背面の側面部６１から延びている。
【００４１】
第１取っ手部７１および第２取っ手部７２が袋体６の前面の側面部６１、底面部６０および背面の側面部６１に沿って縫い付けられていることで、第１，２取っ手部７１，７２を持ったときに、取っ手７が底面部６０を下方から保持することになるため、底面部６０が重力により下方に垂れ下がることを防止することができる。
【００４２】
以上、本実施の形態で用いられる吸水土のう５の一例について説明したが、水に浸水させて膨らむ吸水性樹脂が用いられた吸水土のうであればよく、吸水土のう５の形状は上記形態に限定されない。吸水土のう５は、たとえば取っ手７が付いていなくてもよいし、直方体形状でなくてもよい。
【００４３】
次に、上述した吸水容器１および吸水土のう５を用いた水防工法について説明する。
【００４４】
＜水防工法について＞
図５は、本発明の実施の形態における水防工法を示す模式図である。図５を参照して、本実施の形態の水防工法について説明する。水防工法の概略としては、吸水土のう５を膨らませるための吸水容器１を製作し、吸水容器１に水を溜めて吸水土のう５を膨らませ、膨らませた吸水土のう５を設置場所に設置する。以下、水防工法を具体的に説明する。
【００４５】
図５（Ａ）を参照して、吸水土のう梱包体９を吸水土のうの特定の場所に運ぶ。吸水土のう梱包体９は、段ボール箱２の中に、複数の吸水土のう５と、第１樹脂製袋３と、第２樹脂製袋４とが収納されている。吸水土のう５は、２個以上梱包されていればよいが、１０個以上梱包されていることが好ましい。図５（Ａ）の状態では、第１樹脂製袋３の中に、複数の吸水土のう５と折り畳んだ第２樹脂製袋４とが収納されている。特定の場所とは、たとえば吸水土のう５を設置する設置場所や、設置場所近くで水が利用できる場所などである。なお、吸水土のう梱包体９は、段ボール箱２の中に収納されているものであればよく、上述した収納形態には限定されない。たとえば、第１樹脂製袋３が第２樹脂製袋４のように折り畳まれていてもよい。
【００４６】
図５（Ｂ）に示すように、段ボール箱２の上蓋２４を開いて、少なくとも吸水土のう５および第２樹脂製袋４を取り出す。この場合、第１樹脂製袋３を取り出してもよいが、第１樹脂製袋３を段ボール箱２の中に置いておくことで、再度第１樹脂製袋３を段ボール箱２内に入れる手間を省くことができる。
【００４７】
図５（Ｃ）に示すように、段ボール箱２の上蓋２４を立てた状態で固定する。具体的には、上蓋２４の側端縁が当接する部分を接着テープなどで貼り合わせる。
【００４８】
図５（Ｄ）に示すように、第２樹脂製袋４で段ボール箱２の外面を覆い、上部開口縁４１を段ボール箱２の内面側に折り返して、第２樹脂製袋４と段ボール箱２の側板２２とを固定する。具体的には、第２樹脂製袋４の上部開口縁４１と側板２２とを部分的に接着テープで接着する。これにより、第２樹脂製袋４で段ボール箱２の全外面を覆う。
【００４９】
図５（Ｅ）に示すように、段ボール箱２内の第１樹脂製袋３で段ボール箱２の内面を覆い、第１樹脂製袋３の上部開口縁３１を段ボール箱２の外面側に折り返して、第１樹脂製袋３と第２樹脂製袋４とを固定する。具体的には、第１樹脂製袋３の上部開口縁３１と第２樹脂製袋４を部分的に接着テープで接着する。これにより、第１樹脂製袋３で段ボール箱２の全内面を覆う。以上より、段ボール箱２、第１樹脂製袋３および第２樹脂製袋４を用いて、水を溜めるための吸水容器１を製作することができる。なお、吸水容器１は、段ボール箱２の全内面および全外面が第１樹脂製袋３および第２樹脂製袋４で覆われていればよく、第１樹脂製袋３および第２樹脂製袋４の折り返す順序は問わない。
【００５０】
図５（Ｆ）に示すように、製作した吸水容器１内に水を溜める。水位が２０ｃｍ程度になるまで水を注水する。
【００５１】
図５（Ｇ）に示すように、吸水容器１に溜めた水の中に扁平な吸水土のう５を完全に沈めて、吸水土のう５に内包した吸水性樹脂８に水が到達するように吸水土のう５全体を揉み解す。吸水土のう５が水に浸かった状態で、たとえば３分〜５分程放置する。これにより、吸水性樹脂８が水分を吸水し、吸水土のう５の袋体６は、図５（Ｈ）に示すように、直方体形状になる。吸水土のう５が十分に膨らんだ後、吸水容器１から取り出す。なお、図５（Ｇ），図５（Ｈ）では、吸水土のう５の大きさを小さくして示している。
【００５２】
膨らませた吸水土のう５を設置場所に設置する。吸水土のう５の取っ手７を持って、設置場所に持って行く。水分を吸収し、直方体形状になった吸水土のう５は、約１５ｋｇと重量があるものの、取っ手７が設けられているため、設置場所まで持ち運びしやすい。複数の吸水土のう５を設置場所に設置する場合は、図５（Ｆ）〜図５（Ｈ）の作業を繰り返す。図５（Ｈ）に示すように、扁平な吸水土のう５を浸水させることで、吸水性樹脂８に水が吸水されて、吸水容器１内の水の水位が減るため、扁平な吸水土のう５を吸水させる度に、吸水容器１内に水を追加する必要がある。
【００５３】
また、吸水容器１に水を溜めて、「水のう」として使用することも可能である。吸水土のう５が足りない場合などに有効である。吸水容器１を水のうとして使用する場合には、水位が２０ｃｍとなるように吸水容器１に水を溜めて、設置場所に設置する。
【００５４】
従来は、吸水土のう５を浸水させて膨らませるためには、吸水土のう５よりも大きい容器を用意する必要があった。また、一般家庭などでは、大きい容器がないため、浴槽やシンクなどに水を溜めて吸水容器の代わりとしていた。この場合、水を吸収して重くなった吸水土のう５を浴室やキッチンなどから設置場所まで運ぶ必要があり、非効率であった。
【００５５】
本実施の形態の水防工法は、吸水土のう梱包体９を設置場所近傍の特定の場所に持って行き、同封されている第１樹脂製袋３および第２樹脂製袋４で、段ボール箱２の全外面および全内面を覆って吸水容器１を形成し、吸水容器１内に水を溜めて吸水土のう５を膨らませ、特定の場所から設置場所まで持って行くだけでよい。そのため、吸水土のう５と、それを膨らませるための吸水容器１がセットになっているため、緊急時の使用に便利である。
【００５６】
従来は、吸水土のうを膨らませるための大きい容器は、吸水土のうとは別途に用意する必要があり、大きい容器がない場合は、浴槽やシンクなどを容器の代用にする必要があった。本実施の形態は、浴槽やシンクなどを容器の代用にする場合と比較すると、吸水土のう５の設置場所の近傍の特定の場所に吸水容器１を配置することができるため、吸水土のう５を運ぶ距離が短くなり、設置効率を向上させることができる。
【００５７】
また、吸水容器１に水を溜めて設置場所に設置することで、吸水容器１を「水のう」とすることができ、吸水容器を「水のう用容器」として利用することができるため、効率的である。
【００５８】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【符号の説明】
【００５９】
１  吸水容器（水のう用容器）、２  段ボール箱、３  第１樹脂製袋、４  第２樹脂製袋、５  吸水土のう、９  吸水土のう梱包体、２１  底板、２１ａ  内面、２１ｂ  外面、２２  側板、２２ａ  内面、２２ｂ  外面、２４  上蓋、３１，４１  上部開口縁。
【要約】
【課題】シンプルな構造であり、吸水土のうの設置効率を向上することが可能な水防工法、吸水容器および水のう用容器を提供すること。
【解決手段】水防工法は、上蓋付きの段ボール箱の中に、複数の吸水土のう（５）と、第１樹脂製袋（３）と、第２樹脂製袋（４）とを収納した吸水土のう梱包体（９）を特定の場所に運ぶ工程と（図５（Ａ））、段ボール箱の上蓋（２４）を開いて、吸水土のうを取り出す工程と（図５（Ｂ））、第１樹脂製袋で段ボール箱の内面を覆い、第２樹脂製袋で段ボール箱の外面を覆い、第１樹脂製袋と第２樹脂製袋とを固定することで吸水容器（１）を形成する工程と（図５（Ｃ）〜（Ｅ））、吸水容器内に水を溜める工程と（図５（Ｆ））、吸水土のう（５）を膨らませる工程と（図５（Ｇ），（Ｈ））、膨らませた吸水土のうを設置場所に設置する工程とを備える。
【選択図】図５【図１】
0006935951.tif 000002
【図２】
0006935951.tif 000003
【図３】
0006935951.tif 000004
【図４】
0006935951.tif 000005
【図５】
0006935951.tif 000006